(57)【要約】      （修正有）【課題】足腰の衰えた高齢者が、階段を登り降りする際、手摺り内に設けた人体感知センサーと階段床一端に設けた人体感知センサーとが作動し、階段床が昇降し階段の段差を解消する昇降機能を備えた階段床を提供する。【解決手段】手摺り９内と昇降機能付き床ユニット１の床踏み板内の一端に人体感知センサーを設け、これら二箇所の人体感知センサーの動きに連動する事で昇降機が始動する昇降機能付き床ユニット１を、既存のトイレの床や既存の階段の各踏み板に取り付け、センサー付き手摺り９を取り付ける。【選択図】図７
2006219294.tif 000002
【特許請求の範囲】
【請求項１】
手摺り内に人体感知センサーと床一端に人体感知センサーを設け、二箇所の人体感知センサーの働きに連動する昇降機能付き床ユニットとした事を特徴とした特許請求項１の昇降機能付き床ユニット。
【発明の詳細な説明】
【技術分野】
【０００１】  本発明は、階段昇降装置、トイレの昇降装置に関する。
【背景技術】
【０００２】  身体の不自由な人が移動する場合、特に階段の各段を上り下りする事に苦労をしていた。【０００３】  身体の不自由な人がトイレを使用する場合、便座に座る時、腰を上げる時等に中腰になり腰に負担がかかり、介護を必要としていた。【０００４】  高齢者の多くの人が、日常生活を送るとき、足腰の衰えの為に、特に階段等の登り降りの動作が苦痛になり手摺り等を活用していた。【０００５】  近年、高齢化が進み、高齢者の居る家庭が多く、家庭内のバイアフリーの必要とする家庭が多くなった。
【特許文献】特願平１１−２９７５４４
【特許文献】特願２００２−１８４８９６
【特許文献】特願平０９−０６５４５６
【特許文献】特願平０６−１６８７０２
【特許文献】特願平０５−２２６３５８
【発明の開示】
【発明が解決しようとする課題】
【０００６】  解決しようとする問題点は、高齢者が足腰の衰えの為に階段歩行時介添えが必要とする事、又、トイレの便座に座る、立つ上がりの動作に介添えが必要とする等の問題点等が有る。
【課題を解決しようとする課題】
【０００７】  本発明は、足腰の衰えた高齢者が歩行時階段を登り降りる際、手摺りに捕まる時、手摺り内に設けて有る人体感知センサー、階段床一端に設けている人体感知センサーが作動し、階段床が昇降し階段の段差を解消する昇降機能を備えた階段床を提供する事、この感知センサーで連動するトイレの床の昇降機能を備えた、昇降機能付き床ユニットを最も主要な特徴とする。
【発明の効果】
【０００８】  本発明の昇降機能付き床ユニットは、手摺りに触れると感知するセンサーが作動する為、健常者が手摺等に触れなければ、通常の階段としての機能のまま利用出来、又、トイレにおいても、手摺りに触れる事が無ければ、通常のトイレの床として使用できる利点が有る。
【発明を実施する為の最良の形態】
【０００９】  既存のトイレの床、既存の階段の各踏み板に、昇降機能付き床ユニットを取り付け、センサー付き手摺りを取り付けるだけで、介添えを解消し、既存のトイレの床、既存の階段を壊す、改造する事なく取り付けが出来、最小の既存の部品点数で昇降機能付き床ユニットを構成でき安価で段差を解消しバイアフリーが実現した。
【実施例１】
【００１０】  図１は、本発明の昇降機能付き床ユニットの外観斜視図であって、床昇降機能稼動装置を昇降機能付き床ユニット内一端に収納し他一端を、昇降床とした図である。【００１１】  図２は、本発明の昇降機能付き床ユニットの外観斜視図であって、床昇降機能駆動装置を昇降機能付き床ユニット外部に設け、床昇降機能を、油圧、空気圧等を用い作動させた図である。【００１２】  図３は、本発明の昇降機能付き床ユニットの外観斜視図であって、床昇降機能駆動装置の床稼動動工程図で有る。【００１３】  本発明の昇降機能付き床ユニットは、既存の階段の各踏み板に階段分昇降機の機能付き床ユニットを取り付ける事を特徴としている。【００１４】  図５は、手摺り内に感知センサーを設けた斜視図であって階段用手摺りには、階段の段数分のセンサーを内蔵している。【００１５】  床を昇降させる構造としては、数多くの昇降機能の装置があるが上記記述した機能を備えて有ればどの様な装置でも良い。【００１６】  本発明の昇降機能付き床ユニット内に収納が可能で有れば、どの様な昇降機能を有する装置でも良い。【００１７】  本発明の昇降機能付き床ユニットの昇降駆動装置を外部に設け油圧ホース、空気用エアーホースを用い床踏み板内に導き昇降機能部を稼動させ床踏み板を昇降させても良い。【００１８】  本発明の昇降機能付き床ユニットの、床踏み板の昇降機能の駆動部は、モーターを用いワイヤーを巻き上げ構造としても良い。【００１９】  本発明の昇降機能付き床ユニットの、床の昇降機能の駆動部は、モーターを用いギヤ、オームギヤ等を活用しても良い。【００２０】  本発明の昇降機能付き床ユニットの、床の昇降機能の駆動部は、モーターを用い油圧、空気圧ジャッキを活用しても良い。【００２１】  図５内の、手摺り内蔵人体感知センサーは、人体が触れると感知するセンサーで、昇降床踏み板内の一端に設けている人体感知センサーと連動する事で昇降機が始動するもので、手摺り内蔵人体感知センサー単体の感知作動では、昇降機が始動しない用に出来ている。【００２２】  昇降機能付き床ユニットの床踏み板内一端に設けている、人体感知センサーを圧力センサー等とし、このセンサーを踏んでセンサーが感知し稼動しても、手摺り内のセンサーが感知する事がなければ、床昇降機が始動する事がない。【００２３】  又、昇降機能付き床ユニットの床踏み板内一端に設けている、人体感知センサーの圧力センサーは、片足のみでは感知センサーが作動せず、両足が昇降床踏み板内に揃い両足が圧力センサーに触れると感知され作動する仕組みになっている。【００２４】  昇降機能付き床ユニットの床踏み板内に足を踏み入れ、両足が踏み板内に揃え手摺りを手で握ると、昇降機能付き床ユニットが稼動し床踏み板が昇降する。
【産業上の利用可能性】
【００２５】  昇降機能付き床ユニットは、段差の有る所すべてに活用が可能で、寝室周り、例えば、ベット床の落差の解消、お風呂場の浴槽と床の段差の解消等に活用出来る。
【図面の簡単な説明】
【００２６】
【図１】本発明の昇降機能付き床ユニットの外観斜視図
【図２】本発明の昇降機能付き床ユニット駆動装置を外部に設け、床踏み板内に昇降機能部を設けた斜視図
【図３】本発明の昇降機能付き床ユニットの駆動装置をユニット内の格納室に設けた床踏み板昇降稼動工程図１  ２  ３である。
【図４】本発明の昇降機能付き床ユニット駆動装置を外部に設け、床踏み板内に昇降機能部を設けた床踏み板昇降稼動工程図１  ２  ３である。
【図５】手摺り内に感知センサーを設けた斜視図
【図６】昇降駆動装置部を外部に設けた昇降機能付き床ユニットを既存の階段に取り付けた実施図
【図７】昇降駆動装置を昇降機能付き床ユニット内の格納室に収納し、既存の階段に取り付けた実施図
【符号の説明】
【００２７】１  昇降機能付き床ユニット
２  床踏み板
３  昇降駆動装置格納室
４  手摺り
５  手摺り内蔵人体感知センサー
６  床踏み板内の人体感知センサー圧力スイッチ
７  床踏み板を支えるガイド
８  既存の階段
９  手摺り
【図１】
2006219294.tif 000003
【図２】
2006219294.tif 000004
【図３】
2006219294.tif 000005
【図４】
2006219294.tif 000006
【図５】
2006219294.tif 000007
【図６】
2006219294.tif 000008
【図７】
2006219294.tif 000009